(57)【特許請求の範囲】
【請求項１】
表示部と、
端末装置本体の傾き時の加速度を検知する加速度センサと、
前記加速度センサからの出力に基づき前記端末装置本体が縦状態の場合に縦画面を前記表示部に表示し、前記端末装置本体が横状態の場合に横画面を表示するよう画面の切り替え制御を行う表示制御部と、を備え、
前記表示部は、前記加速度センサの感度を設定するための設定画面を表示し、当該設定画面は、複数のアプリケーションのそれぞれに対して前記加速度センサの感度設定を行うように設けられた複数の感度設定領域を含み、
前記表示制御部は、前記設定画面において設定された感度および前記加速度センサによって検知された加速度に基づき前記アプリケーション毎に前記画面の切り替え制御を行うことを特徴とする端末装置。
【請求項２】
前記設定画面は、前記加速度センサの感度をオフ設定とする設定を受け付け、
前記表示制御部は、前記加速度センサの感度がオフ設定の場合、前記画面の切り替え制御を行わないよう制御することを特徴とする請求項１に記載の端末装置。
【請求項３】
前記感度設定領域は、一端から他端までの間に感度の値が割り当てられた直線上を移動して、当該感度の値を選択することが可能なボタンを含む請求項１又は請求項２に記載の端末装置。
【請求項４】
前記加速度センサの感度は、前記端末装置本体の傾斜角度に対応して関連付けられていることを特徴とする請求項１から請求項３のいずれか一項に記載の端末装置。
【発明の詳細な説明】
【技術分野】
【０００１】
本発明は、携帯電話機、ＰＤＡ（Persona1 Digita1 Assistant）、タブレット型ＰＣ（パーソナルコンピュータ）、電子書籍端末機、電子辞書端末機等の端末装置であって、特にディスプレイ表示画面を端末装置本体の縦方向又は横方向への傾きに応じて縦型又は横型に変化させる、端末装置に関する。
【背景技術】
【０００２】
従来、加速度センサを備える端末装置として例えば長方形状の携帯電話機がある。この携帯電話機においては、携帯電話機本体（単に本体ともいう）が例えば地面に対して垂直な縦向きから、地面と平行な横向きに傾く途中で、加速度センサで検知された加速度から本体の傾き角度を検出し、ディスプレイに表示されている縦型の画面（縦画面）を回転させ、横型の画面（横画面）に切り替える制御が行われている。このような縦画面と横画面を、本体の傾き角度に応じて切り替えるための加速度センサの加速度の検知感度は、複数のアプリケーションソフト毎に出荷前から定められている。
【０００３】
この種の加速度センサにより携帯電話機本体の傾きを検知して画面表示を回転させる技術として特許文献１に記載のものがある。
【先行技術文献】
【特許文献】
【０００４】
【特許文献１】特開２０１０−２６３４３号公報
【発明の概要】
【発明が解決しようとする課題】
【０００５】
ところで、上述した携帯電話機において、携帯電話機本体が例えば縦状態から横方向に傾いた際に、この傾き角度がまだ縦状態に近い角度（例えば６０度）であるにも関わらず、ディスプレイの画面表示が縦画面から横画面に変わってしまうケースがある。逆のケースでは、傾き角度がまだ横状態に近い角度（例えば４０度）であるにも関わらず、ディスプレイの画面表示が横画面から縦画面に変わってしまう。
【０００６】
このような場合、ユーザが例えば縦画面（又は横画面）での表示を所望しているにも関らず、携帯電話機本体を縦状態（又は横状態）から少しの角度横方向（又は縦方向）に傾けただけで横画面（又は縦画面）となってしまうので、使い勝手が悪いという問題がある。
【０００７】
よって、加速度センサで検知された加速度に基づく端末装置本体の角度検出に応じて、ディスプレイ表示の縦画面から横画面又は横画面から縦画面への切り替え時の傾斜角度を、任意に設定することができる、端末装置が望まれている。
【課題を解決するための手段】
【０００８】
上記した課題を解決するために本発明の一態様による端末装置は、表示部と、端末装置本体の傾き時の加速度を検知する加速度センサと、前記加速度センサからの出力に基づき前記端末装置本体が縦状態の場合に縦画面を前記表示部に表示し、前記端末装置本体が横状態の場合に横画面を表示するよう画面の切り替え制御を行う表示制御部と、前記加速度センサの感度設定を操作する操作部と、を備え、前記表示制御部は、前記操作部により設定された感度に基づき前記画面の切り替え制御を行う。
【０００９】
上記本発明の一態様において、前記操作部は、前記加速度センサの感度をオフ設定とする操作を受け付け、前記表示制御部は、前記加速度センサの感度がオフ設定の場合、前記画面の切り替え制御を行わないよう制御する。
【００１０】
上記本発明の一態様において、前記操作部は、予め設定される複数のアプリケーションソフトのそれぞれに対して前記加速度センサの感度設定を行うように設けられ、前記表示制御部は、前記操作部による設定操作に基づき前記加速度センサの感度を前記複数のアプリケーションソフト毎にそれぞれ設定を受け付ける。また、前記加速度センサの感度は、前記端末装置本体の傾斜角度に対応して関連付けられている。
【発明の効果】
【００１１】
本発明の一態様による携帯端末によれば、加速度センサで検知された加速度に基づく端末装置本体の角度検出に応じて、ディスプレイ表示の縦画面から横画面又は横画面から縦画面への切り替え時の傾斜角度を、任意に設定することができる端末装置を提供することができる。
【図面の簡単な説明】
【００１２】
【図１】（ａ）は、本実施形態に係る端末装置としての携帯電話機の外観正面図、（ｂ）は側面図である。
【図２】本実施形態の携帯電話機の構成を示すブロック図である。
【図３】感度設定画面の構成を示す図である。
【図４】本実施形態の携帯電話機における加速度センサの感度を設定する処理について説明するためのフローチャートである。
【図５】本実施形態の携帯電話機におけるディスプレイ表示画面の横方向又は縦方向への切り替え動作を説明するためのフローチャートである。
【図６】（ａ）本実施形態の携帯電話機の地面に対する縦状態の様態図、（ｂ）携帯電話機の縦状態から横方向に傾いた際の状態図、（ｃ）携帯電話機の横状態の様態図、（ｄ）横状態から縦方向に傾いた際の様態図である。
【図７】（ａ）本実施形態の携帯電話機のディスプレイに表示された縦画面の図、（ｂ）横画面の図である。
【発明を実施するための形態】
【００１３】
以下、添付図面を参照して本発明を実施するための実施の形態（以下、単に本実施形態という）について詳細に説明する。
（実施形態の構成）
図１（ａ）は、本実施形態に係る端末装置としての携帯電話機１の外観正面図、（ｂ）は側面図である。図２は、携帯電話機１の構成を示すブロック図である。本実施形態に係る携帯電話機１の構成を図１及び図２の双方を使用して説明する。携帯電話機１は、薄型の長方形状のキャビネット１０を有する。キャビネット１０の正面側には、タッチパネルＴＰが配置され、このタッチパネルＴＰは、表示部としてのディスプレイ１１と、ディスプレイ１１に重ねられたタッチセンサ１２とを備える。
【００１４】
ディスプレイ１１は、液晶パネル１１ａと、液晶パネル１１ａを照明するバックライト１１ｂにより構成されている。液晶パネル１１ａは、画像を表示するための表示面１１ｃを表に有し、表示面１１ｃが外部に現れる。表示面１１ｃには、多数のアプリケーションソフト又はプログラム（単にアプリケーションという）のアイコンが並べられたホーム画面や、アプリケーションに基づく実行画面が表示される。なお、液晶パネル１１ａに代え、有機ＥＬ（Ｏｒｇａｎｉｃ  Ｅｌｅｃｔｒｏ−Ｌｕｍｉｎｅｓｃｅｎｃｅ）など他の表示素子を用いてもよい。
【００１５】
タッチセンサ１２は、表示面１１ｃの上に透明なシート状に形成されており、タッチセンサ１２を透して表示面１１ｃを見ることができる。また、タッチセンサ１２は、ユーザが触れた（タッチした）表示面１１ｃ上の位置（以下、「入力位置」と言う。）を検出し、その入力位置に応じた位置信号を後述するＣＰＵ１００へ出力する。なお、表示面１１ｃに触れる（又はタッチする）とは、実際には、タッチセンサ１２を覆うカバーの表面における表示面１１ｃに相当する領域を触れることである。
【００１６】
更に、タッチセンサ１２は、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗腹式、光検知式等のタッチセンサであってもよい。
【００１７】
ユーザは、自分の指又はペンなどの接触部材（簡単のため、以下、単に「指」と言う）によって表示面１１ｃを触れることにより、タッチ、タップ、フリック等の各種操作を行うことができる。タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、ホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００１８】
キャビネット１０の正面側には、縦方向の下部にマイクロホン（マイクと言う）１４が配されており、上部にスピーカ１５が配置されている。ユーザは、スピーカ１５からの音声を耳で捉え、マイク１４に対して音声を発することにより通話を行うことができる。キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００１９】
更に、携帯電話機１は、図２に示すように、上述した各構成要素の他、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、表示制御部１２０を備えている。
【００２０】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、ディスプレイ１１へ出力する。また、画像処理部１０２は、ディスプレイ１１を制御するための制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００２１】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００２２】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００２３】
メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。
【００２４】
ＣＰＵ１００は、制御プログラムに従って、カメラモジュール１６、マイク１４、通信モジュール１０７、ディスプレイ１１、スピーカ１５等、各構成要素を制御することにより、通話、カメラ機能、電子メール、ウェブブラウザ、地図、音楽プレーヤ等、各種のアプリケーションを実行する。
【００２５】
加速度センサ１０８は、携帯電話機１本体の傾き時の加速度を検出（又は検知ともいう）する。加速度センサ１０８は３軸加速度センサであり、図１に示すＸ軸方向、Ｙ軸方向及びＺ軸方向の３方向に生じる加速度を検知する。例えば、携帯電話機１が、地面に対して縦方向から横方向、又は横方向から縦方向に傾けられた際に、その傾き角度に応じた加速度が検知される。更に、加速度センサ１０８は、検出した加速度に応じた加速度信号をＣＰＵ１００へ出力する。携帯電話機１が静止状態にあるときには、携帯電話機１に加わる重力加速度が加速度センサ１０８により検出される。
【００２６】
表示制御部１２０は、加速度センサ１０８からの出力に基づき携帯電話機１本体が縦状態の場合に縦画面を表示部に表示し、携帯電話機１本体が横状態の場合に横画面を表示するよう画面の切り替え制御を行う。また、表示制御部１２０は、操作部により設定された感度に基づき画面の切り替え制御を行う。
【００２７】
ユーザが所定の操作を行うと、図３に示すように、タッチパネル１１上には、操作部としての感度設定画面ＤＧが表示される。感度設定画面ＤＧを操作することにより加速度センサの感度を設定することができる。この感度設定画面ＤＧは、メール送受信のためのアプリケーション用の感度設定画面（メールアプリ用画面という）ＤＧ１と、カメラ撮影等のためのアプリケーション用の感度設定画面（カメラアプリ用画面という）ＤＧ２と、ブラウザ表示のためのアプリケーション用の感度設定画面（ブラウザアプリ用画面という）ＤＧ３と、ＭＡＰ（地図）表示のためのアプリケーション用の感度設定画面（ＭＡＰアプリ画面という）ＤＧ４とが表示されてなる。
【００２８】
このように、感度設定画面ＤＧ１〜ＤＧ４は、予め設定される複数のアプリケーションソフト（メール、カメラ、ブラウザ、ＭＡＰ）のそれぞれに対して加速度センサ１０８の感度設定を行うことができるように設けられている。表示制御部１２０は、各感度設定画面ＤＧ１〜ＤＧ４による設定操作に基づき加速度センサ１０８の感度を複数のアプリケーションソフト毎にそれぞれ設定を受け付ける。
【００２９】
感度設定画面ＤＧには、加速度センサ１０８の感度設定をオン・オフとする操作を受け付けるＯＮ・ＯＦＦボタンが設けられている。ユーザが加速度センサの感度設定のＯＦＦボタンを選択すると、表示制御部１２０は、加速度センサの感度をオフ設定とする操作を受け付け、画面の切り替え制御を行わないよう制御を行う。また、各感度設定画面ＤＧ１〜ＤＧ４には、加速度センサ１０８の感度を設定するための、一定レンジ幅の感度可変領域ＧＳが表示される。更に、感度可変領域ＧＳの上に感度を任意に設定するための設定ボ
タンＢ１，Ｂ２，Ｂ３，Ｂ４がそれぞれ配置されて表示されている。また、感度可変領域ＧＳのレンジ幅は、例えば、図面に向かって左側から右側に「１」〜「１００」の感度が目盛られた感度幅であるとする。但し、「１」が最も感度が低く、「１００」が最も感度が高くなっている。なお、感度可変領域ＧＳおよび設定ボタンＢ１，Ｂ２，Ｂ３，Ｂ４は、ＯＮボタンが選択されている場合のみ表示され、ＯＦＦボタンが選択されている場合には、表示されないか、若しくはＯＮボタンが選択されている場合よりも薄く表示されてもよい。
【００３０】
図３の例では、メールアプリ用画面ＤＧ１では、加速度センサ１０８の感度設定がＯＮに設定され、設定ボタンＢ１で感度が「２５」に設定されている。カメラアプリ用画面ＤＧ２では、加速度センサ１０８の感度設定がＯＦＦに設定されている。ブラウザアプリ用画面ＤＧ３では、加速度センサ１０８の感度設定がＯＮに設定され、設定ボタンＢ３で感度が「５０」に設定されている。ＭＡＰアプリ用画面ＤＧ４では、加速度センサ１０８の感度設定がＯＮに設定され、設定ボタンＢ４で感度が「８０」に設定されている。
【００３１】
設定感度「１」〜「１００」の各々には、ある角度以上傾いた際に画面が切り替わるようになっており、加速度センサの感度は、本体の傾斜角度に対応して関連付けられている。例えば設定感度「２５」に、角度αが対応付けられている場合、表示制御部１２０は、加速度１０８からの出力に基づき携帯電話機１が角度α以上傾いていることを検出すると、画面の表示方向を切り替る制御を行い、傾き角度がα以下の場合、画面の表示方向は切り替えないように制御を行う。
【００３２】
なお、上述のように、複数のアプリケーションソフトのそれぞれに対して加速度センサ１０８の感度をオン又はオフにすること（個別設定）以外に、アプリケーションに関わらず一律に加速度センサ１０８の感度をオン又はオフに設定すること（全体設定）ができてもよい。ここで、全体設定と個別設定が同時に設定された場合、どちらが優先されてもよいが、個別設定が優先される場合には、ユーザの意思をより反映させた画面の切り替えが行われる。
（実施形態の動作）
以下、本実施形態に係る携帯電話機１における加速度センサ１０８の感度設定処理およびディスプレイ表示画面の横方向又は縦方向への切り替え動作を、図４および図５のフローチャートを参照して詳細に説明する。
【００３３】
まず、図４を参照して、加速度センサ１０８の感度設定処理について説明する。ユーザが感度設定画面ＤＧを表示するための操作を行うと、タッチセンサ１２はその操作を検出し（ステップＳ１においてＹＥＳ）、表示制御部１２０は、図３に示す感度設定画面ＤＧを表示する（ステップＳ２）。
【００３４】
ユーザは、感度設定画面ＤＧのＯＮ又はＯＦＦボタンをタッチして加速度センサの感度設定をＯＮ又はＯＦＦとすると共に、設定ボタンＢ１〜Ｂ４をタッチ移動させながら各アプリケーションでの加速度センサ１０８の感度設定を行う（ステップＳ３）。
【００３５】
ここでは、図３に示すように、メールアプリ用画面ＤＧ１では、加速度センサ１０８の感度設定がＯＮ、感度が「２５」に設定され、カメラアプリ用画面ＤＧ２では、感度設定がＯＦＦに設定され、ブラウザアプリ用画面ＤＧ３では、感度設定がＯＮ、感度が「５０」に設定され、ＭＡＰアプリ用画面ＤＧ４では、感度設定がＯＮ、感度が「８０」に設定されたとする。
【００３６】
表示制御部１２０は、この設定された各感度をアプリケーションソフト毎に設定を行う（ステップＳ４）。
【００３７】
次に、図５を参照して、ディスプレイ表示画面の横方向又は縦方向への切り替え動作を説明する。図６（ａ）に示すように、携帯電話機１が現在、地面に対して縦方向に向いている場合、ユーザにより、図６（ｂ）に示すように、Ｘ軸がＹ軸側に回転する方向に傾けられたとする（ステップＳ５においてＹＥＳ）。このように携帯電話機１が傾けられた場合、表示制御部１２０は、その傾き時の加速度センサからの加速度が、感度設定値以上か否かを判断する（ステップＳ６）。
【００３８】
ここで、図７（ａ）に示すように、携帯電話機１のディスプレイ１１にメールアプリに基づく縦方向のメール送受信用の画面（メール送受信用画面）が表示されているとすると、その感度は「２５」に設定されているので、感度は２５／１００と悪くなっている。また、ステップＳ４での携帯電話機１の傾き角度が図６（ｂ）に示す角度αであったとする。更に、その感度「２５」に、携帯電話機１が角度α以上傾いた際に画面を切り替えることが設定されているとする。
【００３９】
携帯電話機１がα以上傾いた場合、表示制御部１２０は、加速度センサ１０８からの加速度が感度設定値以上であると判断し、携帯電話機１が地面に対して横向きの姿勢であると判定する（ステップＳ７）。これによって、表示制御部１２０は、ディスプレイ１１に表示された縦方向のメール送受信用画面を図７（ｂ）に示す横方向に切り替える制御を行う（ステップＳ８）。
【００４０】
一方、ステップＳ５での携帯電話機１の傾き角度がα未満であったとすると、ステップＳ６では、表示制御部１２０は、加速度センサ１０８からの加速度が感度設定値以下であると判断し、携帯電話機１が地面に対して横向きの姿勢であるとは判定しない（ステップＳ９）。このとき、表示制御部１２０は、表示画面方向の切り替え制御を行わないため、ディスプレイ１１におけるメール送受信用画面は、図７（ａ）に示す縦方向のままとなる（ステップＳ１０）。
【００４１】
逆に、携帯電話機１が、図６（ｃ）に示すように、現在地面に対して横方向に向いている場合に、ユーザにより、図６（ｄ）に示すように、Ｙ軸がＸ軸側に回転する方向に角度β以上傾けられた場合、又は角度β未満傾けられた場合も上記同様である。但し、β＝αとする。
【００４２】
即ち、携帯電話機１が角度β以上傾けられた場合は、加速度センサ１０８からの加速度は感度設定値以上と判断し（ステップＳ６）、表示制御部１２０は、携帯電話機１が地面に対して縦向きの姿勢であると判定する（ステップＳ７）。これによって、表示制御部１２０は、ディスプレイ１１に表示された横方向のメール送受信用画面を、図７（ａ）に示す縦方向に切り替える制御を行う（ステップＳ８）。
【００４３】
一方、ステップＳ４での携帯電話機１の傾き角度がβ未満であったとすると、ステップＳ６では、表示制御部１２０は、加速度センサ１０８からの加速度が感度設定値以下であると判断し、携帯電話機１が地面に対して縦向きの姿勢であるとは判定しない（ステップＳ９）。このため、表示制御部１２０は、表示画面方向の切り替え制御を行わないため、ディスプレイ１１におけるメール送受信用画面は、図７（ｂ）に示す横方向のまま、即ち現状維持となる（ステップＳ１０）。
【００４４】
これと同様に、加速度センサの感度設定がＯＮとされたブラウザアプリ用ＤＧ３、ＭＡＰアプリ用ＤＧ４においても、加速度センサ１０８で設定感度に応じて、ディスプレイ１１表示画面の縦方向又は横方向への切り替え制御が行われる。
【００４５】
なお、上述の例では、β＝αとしたが、携帯電話機が地面に対して横向きの姿勢であると判定する角度αと、携帯電話機１が地面に対して縦向きの姿勢であると判定する角度βとをそれぞれ個別に設定可能とすることにより、異ならせる（β≠α）ことも可能である。
（実施形態の効果）
本実施形態に係る携帯電話機１によれば、携帯電話機１が傾いた際にディスプレイ１１の表示画面が現状状態から縦方向又は横方向に切り替わる際の傾斜角度が、加速度センサ１０８の感度が可変設定されることで変えることができる。ここで、感度が抑制されて設定されると、ユーザが極力縦画面での表示を所望する際に、携帯電話機１が縦状態から横方向にかなりの角度傾いても、縦画面が横画面に切り替わらないようにすることができる。これによって、携帯電話機１の使い勝手を向上させることが出来る。
【００４６】
また、操作部によって、加速度センサの設定感度を任意に設定できるようにした。これによって、携帯電話機１が傾いた際にディスプレイ１１の表示画面が現状状態から縦方向又は横方向に切り替わる際の傾斜角度を自由に変えることが出来る。
【００４７】
これによって、ユーザが縦画面での表示を所望する際に、携帯電話機１が縦状態から横方向に所望の角度以上傾かなければ、例えば４０度以上傾かなければ、縦画面が横画面に切り替わらないようにすることができる。言い換えれば、４０度以上傾けば、縦画面が横画面に切り替わるようにすることができる。
【００４８】
更に、加速度センサの設定感度を、複数のアプリケーションソフト毎に設定されるようにした。これによって、ユーザが所望とするアプリケーションソフトに基づく表示画面の場合、例えばメール送受信画面の場合に、携帯電話機１が縦状態から横方向にかなりの角度傾いても、縦画面が横画面に切り替わらないようにすることができる。つまり、アプリケーションソフト毎に、携帯電話機１が傾いた際に表示画面が縦方向又は横方向に切り替わる際の傾斜角度を、任意に設定することができる。
【００４９】
なお、上記では端末装置としてタッチパネル型の携帯電話機１を例に挙げて説明したが、キーボード型の携帯電話機、通信を行うＰＤＡ、タブレット型ＰＣ、電子書籍端末機や、また、通信を行わないスタンドアローンタイプの電子辞書端末機等の端末機であってもよい。
【００５０】
以上、本発明の好ましい実施形態について詳述したが、本発明の技術的範囲予測は上記実施形態に記載の範囲予測には限定されないことは言うまでもない。上記実施形態に、多様な変更又は改良を加えることが可能であることが当業者に明らかである。またその様な変更又は改良を加えた形態も本発明の技術的範囲予測に含まれ得ることが、特許請求の範囲予測の記載から明らかである。
【符号の説明】
【００５１】
１・・携帯電話機、１１‥ディスプレイ、１０８‥加速度センサ、１２０‥表示制御部、ＧＤ‥感度設定画面、ＴＰ‥タッチパネル。
【図１】
0005855996.tif 000002
【図２】
0005855996.tif 000003
【図３】
0005855996.tif 000004
【図４】
0005855996.tif 000005
【図５】
0005855996.tif 000006
【図６】
0005855996.tif 000007
【図７】
0005855996.tif 000008